(57)【特許請求の範囲】
【請求項１】
収納ボードの収納部に、物品を種々に保持するスライドラック類をガイドレールにより出し入れできるように支持するスライドラック類の支持装置であって、
収納部のスライドラック類の一側面と対向する一方の側壁の内面の上下２か所にガイドレールを取付け、これらガイドレールによってスライドラック類を、このスライドラック類の前記一側面の上下２か所を片持ち支持し、スライドラック類はガイドレールと嵌り合って支持し案内される出し入れ方向の溝状凹部を有し、溝状凹部はスライドラック類前端部側でガイドレールとの間に幅方向の遊びがなく、これより奥側部分でガイドレールとの間に幅方向の遊びを持っていることを特徴とするスライドラック類の支持装置。
【請求項２】
スライドラック類は、前記一側面と反対側になる他側面の下部をも、収納部のこの他側面に対向する他方の側壁の内面下部に取り付けたガイドレールによって出し入れできるように支持し、スライドラック類のガイドレールと嵌り合って支持案内される出し入れ方向の溝状凹部と、前記ガイドレールとの間に、幅方向の遊びを設けた請求項１に記載のスライドラック類の支持装置
【請求項３】
ガイドレールは、収納部の側壁の内面に取付けられた固定ガイドレールと、この固定ガイドレールに案内される可動ガイドレールとからなり、可動ガイドレールはスライドラック類の溝状凹部にこの溝状凹部の前端壁に当接するように嵌め合わされ、この溝状凹部後端に設けられる固定ガイドレールの出入り口から可動ガイドレールが引き出されるのを阻止するストッパを溝状凹部と可動ガイドレールとの間に設けた請求項１、２のいずれかに記載のスライドラック類の支持装置。
【請求項４】
ストッパは、溝状凹部の一方の側壁を介して隣接する領域に設けられ、弾性係合片の前記側壁の前記隣接領域側の外面に圧接する当たり面に、前記側壁の切欠きを通じて、溝状凹部内の可動ガイドレールの側壁に設けられた係合窓と係合して、可動ガイドレールが固定ガイドレール出入り口から引き出されるのを阻止する係止突起を設け、この係止突起の前記係止窓との係合面とは反対の側となる背部の基部に、前記溝状凹部の側壁の切欠きのエッジと係合する係合面を設けた請求項３に記載のスライドラック類の支持装置。
【発明の詳細な説明】
【０００１】
【産業上の利用分野】
本発明はスライドラック類の支持装置、詳しくは、収納ボードの収納部に、ガイドレールにより出し入れできるように支持され、物品を収容したり、掛け止めたり、もたせ掛けるなどして保持し、場合によっては多段に保持できるようにするスライドラック、あるいはこれに類する各種の引出し収納部を含めたスライドラック類の支持装置に関するものである。
【０００２】
【従来の技術】
この種のスライドラック類は、例えばシステムキッチンのように流し台と組み合わせて設置される収納ボード、あるいは単独で設置される収納ボード等、各種の収納ボードに設けられ、幅狭なスペースを利用し、小物品や、ボトル類等、種々雑多な物品を、それらの形態や大きさに応じて収納して置き、また個別に自由に取り出せるようにするもので、使用に便利であり普及しつつある。物品を多段に収納できるものは、多数の各種物品を互いの重なりをなくして、あるいは少なくして収容するのに有利であり、さらなる普及が見込まれる。
【０００３】
図１０は従来のスライドラックの支持装置を示している。スライドラックａは前記のような使用形態の特徴から、図１０（ａ）の側面図、および同図（ｂ）の正面図で分かるように、高さよりも幅が小さい幅狭形状を有するものが一般的である。また、スライドラックａのこのような形態や、多数の物品を保持することによる重量化に対応して、スライドラックａを収納ボードｂの収納部ｃに対し出し入れできるように支持するガイドレールｄは、図１０の（ａ）〜（ｃ）に示すように収納部ｃの底部の左右に取付け、スライドラックａの底部を左右２か所の凹部ｅとの嵌り合う状態で支持し、スライドラックａの出し入れを安定して案内できるようにしている。
【０００４】
【発明が解決しようとする課題】
ところで、収納ボードｂの収納部ｃは、天然板や合板、あるいは樹脂パネル等によって形成される。いずれにしても、収納部ｃの内面どうしの間隔や平行度、直角度には、各板材の寸法誤差や組み立て誤差の他に、収納ボードｂが設置される台所等の床や壁の傾き等が影響するし、これに板材の反りが加わるので、十分な精度を満足することは困難である。
【０００５】
このため、前記のように収納部ｃの底部に固定したガイドレールｄにより、スライドラックａを支持し案内するのでは、スライドラックａを支持する姿勢が、収納部ｃの底部壁ｍの傾きに否応なく左右される。この傾きは図１０（ａ）に示すスライドラックａの引出し方向に直角な水平軸ｆまわりの傾きと、図１０（ｂ）に示すスライドラックａの引出し方向に向く水平軸ｇまわりの傾きとで代表されるが、水平軸ｆまわりの傾きはスライドラックａが収納部ｃの天井壁ｈと、奥壁ｉとのそれぞれに干渉する原因になる。また水平軸ｇまわりの傾きは収納部ｃの左右側壁ｊ、ｋのいずれか一方と、天井壁ｈの左右片側とに、それぞれ干渉する原因になる。これらの干渉は、スライドラックａを収納部ｃに対し出し入れする場合の擦れやこじれにつながり、スムーズな出し入れの妨げとなるので、回避されなければならない。
【０００６】
スライドラックａの天井壁ｈとの干渉は、スライドラックａの高さを天井壁ｈよりも少し低く抑えることにより、また奥壁ｉとの干渉は、スライドラックａの奥行寸法を抑えることにより、それぞれ省ペース化に余り影響なしに回避することはできる。しかし、スライドラックａの高さが高いほど、底部壁ｍの水平軸ｇまわりの少しの傾きでもスライドラックａの上部の左右の大きな振れとなるので、スライドラックａの少しの省スペースに影響しない少しの幅寸法の抑えでは側壁ｊ、ｋとの干渉は避けにくい。
【０００７】
そこで、収納部ｃの内面の間隔や平行度、直角度を十分に満足するために、工場生産段階で種々に管理し調整する必要があり、勢い製品コストが高くなる。また、現場組み立てに際し調整する場合、大半の条件が既定してしまっているので調整の自由度は少なく、調整作業が特に困難であり多大の時間と労力が掛かる。
【０００８】
さらに、底部壁ｍの上に２つのガイドレールｄを取付けるにも、左右側壁ｊ、ｋとの平行度を正確に取るよう図１０（ｅ）に示す垂直軸ｎまわりの姿勢を設定しないと、これらとの前記干渉の問題を解消することはできず、これらの位置決めが余分な作業となり、これもコスト上昇の原因になっている。
【０００９】
本発明は、このような問題を解消することを課題とし、ガイドレールの簡単な取付けによって、前記のような擦れやこじれの問題なしに、スライドラックを軽快に出し入れできるようにする支持装置を提供することを主たる目的とするものである。
【００１０】
【課題を解決するための手段】
本発明のスライドラックの支持装置は、上記のような目的を達成するために、まず、収納ボードの収納部に、物品を種々に保持するスライドラックをガイドレールにより出し入れできるように支持するスライドラックの支持装置であって、収納部のスライドラックの一側面と対向する一方の側壁の内面の上下２か所にガイドレールを取付け、これらガイドレールによってスライドラック類を、このスライドラック類の前記一側面の上下２か所を片持ち支持し、スライドラック類はガイドレールと嵌り合って支持し案内される出し入れ方向の溝状凹部を有している。
【００１１】
特に、スライドラック類の溝状凹部はスライドラック前端部側でガイドレールとの間に幅方向の遊びがなく、これより奥側部分でガイドレールとの間に幅方向の遊びを持っていることを特徴としている。
【００１２】
また、スライドラックは、前記一側面と反対側になる他側面の下部をも、収納部のこの他側面に対向する他方の側壁の内面下部に取り付けたガイドレールによって出し入れできるように支持し、スライドラック類のガイドレールと嵌り合って支持案内される出し入れ方向の溝状凹部と、前記ガイドレールとの間に、幅方向の遊びを設けたものとするのが好適である。
【００１３】
また、ガイドレールは、収納部の側壁の内面に取付けられた固定ガイドレールと、この固定ガイドレールに案内される可動ガイドレールとからなり、可動ガイドレールはスライドラック類の溝状凹部にこの溝状凹部の前端壁に当接するように嵌め合わされ、この溝状凹部後端に設けられる固定ガイドレールの出入り口から可動ガイドレールが引き出されるのを阻止するストッパを溝状凹部と可動ガイドレールとの間に設けると好適である。
【００１４】
ここでストッパは、溝状凹部の一方の側壁を介して隣接する領域に設けられ、弾性係合片の前記側壁の前記隣接領域側の外面に圧接する当たり面に、前記側壁の切欠きを通じて、溝状凹部内の可動ガイドレールの側壁に設けられた係合窓と係合して、可動ガイドレールが固定ガイドレール出入り口から引き出されるのを阻止する係止突起を設け、この係止突起の前記係止窓との係合面とは反対の側となる背部の基部に、前記溝状凹部の側壁の切欠きのエッジと係合する係合面を設けたものとするのが好適である。
【００１５】
【作用】
本発明のスライドラック類の支持装置の上記構成では、まず、収納ボードの収納部の、スライドラック類の一側面と対向する一方の側壁の内面の上下２か所に設けたガイドレールによって、スライドラック類の前記一側面の上下２か所を片持ち支持することにより、１か所での片持ち支持による場合のような振れの問題なくスライドラック類を安定に支持することができ、特に、一方の側壁の内面の上下２か所にガイドレールを取付けるだけで、この一方の側壁の内面に沿ってスライドラック類が出し入れされるように案内することにより、他方の側壁との平行度は問題なく、両側壁間にスライドラック類の幅寸法以上の間隔がありさえすれば、これと干渉するのを回避できるし、底部壁や天井壁との傾きの違いがあっても、従来通り省スペースに影響ない程度に上下方向の寸法を抑えて干渉を避けることが容易であるので、複雑かつ困難な調整なしに、スライドラック類をスムーズに出し入れできるように支持し案内することができる。
【００１６】
特に、スライドラック類のガイドレールと嵌り合って支持し案内される出し入れ方向の溝状凹部が、スライドラック類前端部側でガイドレールとの間に幅方向の遊びがなく、これより奥側部分でガイドレールとの間に幅方向の遊びを持っていることにより、スライドラック類の前端部を外部に残す程度の収納状態までの大きな範囲の出し入れには、前記溝状凹部とガイドレールとの間の幅方向の遊びが働いて、スライドラック類を他との干渉から逃がしながら抵抗少なく軽快に出し入れされるようにするとともに、スライドラック類の前端部まで収納される最終の小さな範囲の出し入れには、前記溝状凹部とガイドレールとの間に幅方向の遊びがないことにより、ガイドレールがスライドラック類の前端部を特定の最終収納位置にあるように位置規制するので、スライドラック類の前端部を適正な位置に収納し、また適正な収納位置から引き出せるようにすることができる。
【００１７】
スライドラック類が、前記一側面と反対側になる他側面の下部をも、収納部のこの他側面に対向する他方の側壁の内面下部に取り付けたガイドレールによって出し入れできるように支持していると、スライドラック類の支持剛性を高めることができるし、この他方の側壁の内面に支持したガイドレールと、スライドラック類のガイドレールと嵌り合って支持案内される出し入れ方向の溝状凹部との間に、幅方向の遊びを設けると、前記スライドラック類の支持剛性を低下させることなく、収納部の左右側壁の平行度のずれによる干渉やこじれを吸収してスライドラック類の円滑な出し入れを保証することができる。
【００１８】
また、ガイドレールが、収納部の側壁の内面に取付けられた固定ガイドレールと、この固定ガイドレールに案内される可動ガイドレールとからなるものであると、双方間だけで、スライドラック類に対する案内精度をこのスライドラック類とは無関係に、どのように設定したものをも必要に応じて選択使用することができるし、可動ガイドレールがスライドラック類の溝状凹部にこの溝状凹部の前端壁に当接するように嵌め合わされ、この溝状凹部後端に設けられる固定ガイドレールの出入り口から可動ガイドレールが引き出されるのを阻止するストッパを溝状凹部と可動ガイドレールとの間に設けるようにすると、前記ガイドレールを利用するのに、可動ガイドレールを溝状凹部内の両側壁と前端壁および後端の固定ガイドレール出入り口からの引出しを阻止するストッパとによって、ねじ止め等の特別な取付け構造なしに、溝状凹部内に確固に保持してスライドラック類が前記ガイドレールの案内を確実に受けられるようにすることができ、可動ガイドレールをねじ止めしないので、可動ガイドレールと溝状凹部との間に前記遊びを設けるようにするのに好都合である。
【００１９】
ここでストッパが、溝状凹部の一方の側壁を介して隣接する領域に設けられ、弾性係合片の前記側壁の前記隣接領域側の外面に圧接する当たり面に、前記側壁の切欠きを通じて、溝状凹部内の可動ガイドレールの側壁に設けられた係合窓と係合して、可動ガイドレールが固定ガイドレール出入り口から引き出されるのを阻止する係止突起を設け、この係止突起の前記係止窓との係合面とは反対の側となる背部の基部に、前記溝状凹部の側壁の切欠きのエッジと係合する係合面を設けたものとする構成では、可動ガイドレールが固定ガイドレール出入りから引き出されようとするのを、係止突起が係止穴との係合によって阻止するとき、係合突起の先端部に大きな押動力が働き、係合突起は傾きながら弾性係合片を押し戻して係止穴から外れたり、係止穴との係合が甘くなったりするような嫌いがあるのを、前記押動力が働いても、係止突起は前記背部の係合面を溝状凹部の側壁に設けた切欠きのエッジとの係合によって確固に受られ、前記のような傾きや、係止穴から外れたり、係止穴との係合が甘くなったりするようなことが回避される。したがって、前記可動ガイドレールの抜け止めが確実なものとなる。
【００２０】
【実施例】
以下本発明のスライドラック類の支持装置について幾つかの実施例を示しながら具体的に説明する。
【００２１】
図１〜図３は本発明の第１の実施例を示している。本実施例は図１、図２に示すように、収納ボード１の他から区画して形成される収納部２に、物品をトレーに収納して保持し、またこの収納したものをもたせ掛けて保持したり、あるいはハンガーに引っかけて支持するスライドラック３をガイドレール４により出し入れできるように支持する構成を前提としている。もっとも、本発明はこのようなスライドラックに限定されるものではなく、トレーで収納保持するだけのもの、あるいはハンガーで保持するだけのもの、と云った物品の収納方式が異なる種々のスライドラック、あるいはスライドラック以外のガイドレールで出し入れできるように支持し案内される引出し収納部全般に適用できるのは勿論である。
【００２２】
収納部２のスライドラック３の一側面、これは図１で見た左右どちらの側面でもよいが本実施例では図１、図３に示す左側の一側面３ａを選択しており、この一側面３ａと対向する一方の側壁２ａの内面の上下２か所にガイドレール４を取付け、これらガイドレール４によってスライドラック３を、前記一側面３ａの上下２か所で、図１、図２に示すように片持ち支持して、出し入れできるようにしたことを基本的な特徴としている。
【００２３】
このような構成によると、収納ボード１の他から区画して形成される収納部２の、スライドラック３の一側面３ａと対向する一方の側壁２ａの内面の上下２か所に取付けられたガイドレール４によって、スライドラック３を前記一側面３ａの上下２か所を片持ち支持するので、１か所での片持ち支持による場合のような振れの問題なく、スライドラック３を安定に支持することができ、スライドラック３の出し入れが円滑になる。
【００２４】
特に、一方の側壁２ａの内面の上下２か所にガイドレール４を取付けるだけで、スライドラック３をこの一方の側壁２ａの内面に沿って出し入れされるように案内して、他方の側壁２ｂとの平行度は問題なく、両側壁２ａ、２ｂ間にスライドラック３の幅寸法以上の間隔がありさえすれば、これと干渉するのを回避できるし、底部壁２ｃや天井壁２ｄとの傾きの違いがあっても、従来通り省スペースに影響ない程度に上下寸法を抑えて干渉を避けることが容易であるので、複雑かつ困難な調整なしに、スライドラック３をスムーズに出し入れできるように支持し案内することができる。したがって、低コストで十分な品質を保証することができる。
【００２５】
収納ボード１はどのように設置されるものでもよいが、本実施例では台所１１のシステムキッチンに適用した場合を示し、流し台１２の一部に、ガスレンジ１３等とともに組み入れられ、収納ボード１は幅が高さよりも小さい偏平な引出し収納部１４等をも有しており、必要に応じこのような引出し収納部１４に本発明を適用することもできる。また、本実施例のような収納ボード１を、吊り収納ボードや、単独で設置される据え置き収納ボード等としても本発明は同様に適用される。
【００２６】
収納部２は、板部材よりなる両側壁２ａ、２ｂ、底部壁２ｃ、天井壁２ｄを枠状に組み立てたものに、奥壁２ｅを後方より当てがって、前方に開口したボックス状に形成してあり、専用の基台５の上に取付けてある。しかし、具体的な組み立て構造は種々に変更することができる。またこの収納部２は、前記ガスレンジ１３や引出し収納部１４等と選択的に組み合わせて設置し、共通のワークトップ１５を上面に施して前記流し台１２としてある。
【００２７】
一方、スライドラック３は、どのように物品を保持するものであってもよいが、本実施例では、図１〜図３に示すように、前後の金属製の枠板２１、２２の上端部間と、下端部間とを連結する２つの樹脂製のトレー２３、２４のうち、上部トレー２３に小さな調味料入れを収容保持し、下部トレー２４には一升びん程度までの大きなボトル類や、これに類似する縦長物品を収容保持することができる。これら上下各トレー２３、２４にて物品が脱落するのを防止するガード棒２５が、上下各トレー２３、２４を利用して取付けられている。また、スライドラック３には、上下各トレー２３、２４の間で、スライドラック３の前記一側面３ａ側に片寄って位置するガード金網２６が設けられ、前後の枠板２１、２２間に取付けられている。ガード金網２６は下部トレー２４に収容される物品をもたせ掛けて、これの脱落を防止できるし、ガード金網２６は上下にガード線材がまとまって設けられたガード部２６ａを有し、このガード部２６ａにはハンガー金具２７が弾性的に着脱できるように装着され、このハンガー金具２７に有するハンガーピン２７ａに各種の物品を掛け止めて保持することもできる。２９はガード金網２６の樹脂製取付け具であり、ガード金網２６が上下対称形であることにより、取付け具２９のどちらの端部にねじ止め等するかによって、スライドラック３がどちらの一側面でガイドレール４により支持されるかという、左右の使用勝手の違いに、同一のガード金網２６によって対応できるようにしてある。
【００２８】
前後の枠板２１、２２は周辺を外面側に折り曲げて剛性を高め、前側の枠板２１の前面には化粧板としての天然板や各種人工板等からなる面材２８が張り合わされ、この面材２８部で、引出し収納部１４の面材３２、ガスレンジ１３のオーブン１３ａの前面等の他の隣接のものとの面一化が図られる。
【００２９】
スライドラック３はガイドレール４と嵌り合って支持し案内される出し入れ方向に設けた溝状凹部３３を有し、この溝状凹部３３は図３、図４に示すように、スライドラック３の前端部３ｂ側でガイドレール４との間に幅方向の遊びがなく、これより奥側部分でガイドレール４との間に幅方向の遊びＳを持っているようにしてある。
【００３０】
このような構成によって、スライドラック３の前端部３ｂを外部に残す収納状態までの大きな範囲の出し入れに、前記溝状凹部３３とガイドレール４との間の幅方向の遊びＳが働いて、スライドラック３を他との干渉から逃がしながら抵抗少なく軽快に出し入れされるようにするとともに、スライドラック３がこれの前端部３ｂまで収納される最終の小さな範囲の出し入れには、前記溝状凹部３３とガイドレール４との間に幅方向の遊びがないことにより、ガイドレール４がスライドラック３の前端部３ｂを特定の収納位置にあるように位置規制するので、スライドラック３の前端部３ｂを、隣接の前記ガスレンジ１３のオーブン１３ａの前面や、引出し収納部１４の面材３２等の間に隙間ができたり、互いに干渉したりしない適正な位置に収納し、またこの適正な収納位置から引き出せるようにすることができ、前記オーブン１３ａの前面や隣接の面材３２等との間の遊びを極く小さくしても、干渉し合ったりする不都合はなく体裁のよい外観を満足することができる。
【００３１】
溝状凹部３３はどのように形成してもよいが、本実施例では、前記上下各トレー２３、２４を利用して形成してある。具体的には、上下各トレー２３、２４の底面の両側に一体成形してあり、スライドラック３の左右のどちらの一側面で片持ち支持するかによって、左右どちらかの溝状凹部３３を選択して使用できるようにしてある。
【００３２】
一方ガイドレール４も、これに前記溝状凹部３３で嵌り合うスライドラック３を、前記溝状凹部３３を介し支持し案内できるものであれば、具体的な構成を特に問うものではない。しかし、本実施例では、スライドラック３を出し入れするときの抵抗の軽減や、ガタツキを防止する意味で、図３に示すような固定ガイドレール４ａと、この固定ガイドレール４ａにボール４ｂを介し高精度に支持し案内される可動ガイドレール４ｃとを組み合わせたものを採用している。
【００３３】
固定ガイドレール４ａは、図３に示すように可動ガイドレール４ｃを支持する支持部４ｄから外部に延びる取付け片４ｅを側壁２ａの内面にねじ４１でねじ止めするなどして取付け、可動ガイドレール４ｃに前記溝状凹部３３を嵌め合わせてある。
【００３４】
特に、可動ガイドレール４ｃはスライドラック３の溝状凹部３３にこの溝状凹部３３の前端壁３３ｂに図２、図５、図７に示すように当接する状態で嵌め合わされ、この溝状凹部３３後端および後部枠板２２に設けられる固定ガイドレール４ａの出入り口３３ａ、２２ａから可動ガイドレール４ｃが引き出されるのを阻止するストッパ４２を溝状凹部３３と可動ガイドレール４ｃとの間に、図４、図７に示すように設けてある。
【００３５】
このように、ガイドレール４が、収納部２の側壁２ａの内面に取付けられた固定ガイドレール４ａと、この固定ガイドレール４ａに案内される可動ガイドレール４ｃとからなるものであると、双方間だけで、スライドラック３に対する案内精度をこのスライドラック３とは無関係に、どのように設定したものをも必要に応じて選択使用することができるし、可動ガイドレール４ｃをスライドラック３の溝状凹部３３内の両側壁３３ｃと前端壁３３ｂおよび後端の固定ガイドレール出入り口３３ａ、２２ａからの引出しを阻止するストッパ４２とによって、ねじ止め等の特別な取付け構造なしに、溝状凹部３３内に確固に保持してスライドラック３が前記ガイドレール４の案内を確実に受けられるようにすることができ、可動ガイドレール４ｃをねじ止めしないので、組み立て構造が簡略化するとともに、可動ガイドレール４ｃと溝状凹部３３との間に前記遊びＳを設けるようにするのに好都合であり、この遊びＳによるスライドラック３と他との干渉防止を図りやすい。
【００３６】
溝状凹部３３のガイドレール４との前記遊びＳは、溝状凹部３３の幅を図３、図４に示すように、スライドラック３の前端部範囲ではＢ１とするのに対し、これより後方範囲ではＢ１よりも大きいＢ２に設定して形成されるもので、これら溝幅の差Ｂ２−Ｂ１により前記遊びＳとなるようにしてある。
【００３７】
なお、本実施例で示すように、スライドラック３の横断面が、高さよりも幅の小さい幅狭形状であると、前記収納部２の一方の側壁２ａの上下２か所に取付けたガイドレール４による支持を、スライドラック３の幅寸法よりも上下に大きく離れた２か所で行い、スライドラック３の片持ち支持による傾き特性によく対応し全体を安定に支持することができる。
【００３８】
本実施例の場合、ストッパ４２は樹脂成形品であって、図５〜図７に示すように、スライドラック３の下トレー２４の下面に左右の溝状凹部３３の間に形成された中央凹部４３の前端部に遊びなく嵌り合うヘッド部４２ａと、このヘッド部４２ａの前端上部の左右に一体成形されて、中央凹部４３の前端壁４３ａに設けられた止め穴４３ｂに係合されてヘッド部４２ａが中央凹部４３から抜け出るのを阻止する係合片４２ｂと、ヘッド部４２ａ後面の左右方向中央部から後方に延びる横断面Ｔ字状の張り出し杆４２ｃと、この張り出し杆４２ｃの張り出し端左右に２重壁連結部４２ｄを介し連結され、かつヘッド部４２ａの左右前部近くにまで延びる弾性係合片４２ｅとを備え、これら左右の弾性係合片４２ｅの先端部外面に係止突起４２ｆを一体成形している。張り出し杆４２ｃは張り出し端部をねじ１４４により中央凹部４３の天井壁にねじ止めしてあり、前記係合片４２ｂと止め穴４３ｂとの係合とが相まって、ストッパ４２を前記中央凹部４３内に安定に取付けてある。
【００３９】
係止突起４２ｆは、弾性係合片４２ｅの樹脂弾性を利用した復元力によって、溝状凹部３３の側壁３３ｃに設けた切欠き３３ｄを通じ、溝状凹部３３内の可動ガイドレール４ｃの側壁に設けた係止穴４４と係合し、弾性係合片４２ｅの係止突起４２ｆが突出している当たり面４２ｇが、溝状凹部３３の側壁３３ｃの中央凹部４３に面する外面３３ｅに圧接して、図５に示す位置に安定するようになっている。
【００４０】
この係止突起４２ｆと係止穴４４との図５に示すような係合によって、可動ガイドレール４ｃが固定ガイドレール出入り口３３ａ、２２ａから引き出され、脱落するのを阻止することができる。切欠き３３ｄは窓状に設けてもよい。
【００４１】
ところで、このような本実施例の構成では、可動ガイドレール４ｃが固定ガイドレール出入り口３３ａ、２２ａから引き出されようとするのを、係止突起４２ｆが係止穴４４との係合によって阻止するとき、係止突起４２ｆの先端部に大きな押動力Ｆが働き、係合突起４２ｆは傾きながら弾性係合片４２ｅを押し戻して係止穴４４から外れたり、係止穴との係合が甘くなったりするような嫌いがある。  そこで、前記係止突起４２ｆの当たり面４２ｇからの突出基部には、係止突起４２ｆの前記係止穴４４との係合面４２ｈとは反対の側となる背面に、前記係止突起４２ｆと係止穴４４との係合状態で、前記側壁３３ｃに形成されている切欠き３３ｄの固定ガイドレール出入り口３３ａ側エッジ３３ｅと係合ないしは近接して対向する係合面４２ｉを形成してある。これによって、前記押動力Ｆが働いても、係止突起４２ｆは前記係合面４２ｉを側壁３３ｃのエッジ３３ｅとの係合によって確固に受られ、前記のような傾きや、係止穴４４から外れるようなことが回避される。したがって、前記可動カイドレール４ｃの抜け止めが確実なものとなる。
【００４２】
図８に示すように弾性係合片４２ｅを、例えば片手の親指と人差し指との間で挟み付けるなどにより矢印の方向に押動すると、係止突起４２ｆを前記係止穴４４との係合位置から後退して、係止穴４４との係合が外れるので、可動ガイドレール４ｃを固定ガイドレール出入り口３３ａ、２２ａを通じて溝状凹部３３内に長手方向に出し入れすることができる。４２ｊはヘッド部４２ａの背面に設けたストッパ片であり、弾性係合片４２ｅの操作限界位置を規定し、過剰な操作によって損傷しないようにしてある。
【００４３】
図９は本発明の第２の実施例を示している。本実施例では、スライドラック３は、前記一側面３ａと反対側になる他側面３ｃの下部をも、収納部２のこの他側面３ｃに対向する他方の側壁２ｂの内面下部に取り付けたガイドレール４によって出し入れできるように支持し、スライドラック３のガイドレール４と嵌り合って支持案内される出し入れ方向の溝状凹部３３と、前記ガイドレール４との間に、幅方向の遊びＳを設けたものとしてある。
【００４４】
このような構成によると、スライドラック３の支持剛性を高め、重量化に対応し易くすることができるし、スライドラック３の横断面形状が幅狭でなく、高さよりも幅が大きいワイド形状である場合に特に有効である。また前記他方の側壁２ｂの内面に支持したガイドレール４と、このガイドレール４と嵌り合って支持案内されるように出し入れ方向に設けたスライドラック３の溝状凹部３３との間に設けた幅方向の遊びＳによって、前記スライドラック３の支持剛性を低下させることなく、収納部２の左右側壁２ａ、２ｂの平行度のずれによる干渉やこじれを吸収してスライドラック３の円滑な出し入れを保証することができる。
【００４５】
【発明の効果】
本発明のスライドラック類の支持装置によれば、前記構成および作用から、まず、収納ボードの収納部の、一方の側壁の内面の上下２か所に設けたガイドレールによって、１か所での片持ち支持による場合のような振れの問題なくスライドラック類を安定に支持することができ、特に、一方の側壁の内面の上下２か所にガイドレールを取付けるだけで、この一方の側壁の内面に沿ってスライドラック類が出し入れされるように案内し、他方の側壁との平行度は問題なく、両側壁間にスライドラック類の幅寸法以上の間隔がありさえすれば、これと干渉するのを回避でき、底部壁や天井壁との傾きの違いがあっても、従来通り省スペースに影響ない程度に上下方向の寸法を抑えて干渉を避けることが容易であるので、複雑かつ困難な調整なしに、スライドラック類をスムーズに出し入れできるように支持し案内することができる。したがって、低コストで十分な品質を保証することができる。
【００４６】
特に、スライドラック類のガイドレールと嵌り合って支持し案内される出し入れ方向の溝状凹部が、スライドラック類前端部側でガイドレールとの間に幅方向の遊びがなく、これより奥側部分でガイドレールとの間に幅方向の遊びを持っていることにより、スライドラック類の前端部を外部に残す程度の収納状態までの大きな範囲の出し入れには、前記遊びが働いて、抵抗少なく軽快に出し入れされるようにするとともに、スライドラック類の前端部がで収納される最終の小さな範囲の出し入れには、前記遊びがなく、ガイドレールでスライドラック類の前端部を特定の最終収納位置にあるように位置規制し、隣接のものとの隙間が小さい体裁のよいものとしても、互いの干渉なく出し入れできる利点がある。
【００４７】
スライドラック類が、前記一側面と反対側になる他側面の下部をも、収納部のこの他側面に対向する他方の側壁の内面下部に取り付けたガイドレールによって出し入れできるように支持したものでは、スライドラック類の支持剛性を高めることができ、また、これらガイドレールと、スライドラック類のガイドレールと嵌り合って支持案内される出し入れ方向の溝状凹部との間に、幅方向の遊びを設けたものでは、前記スライドラック類の支持剛性を低下させることなく、収納部の左右側壁の平行度のずれによる干渉やこじれを吸収してスライドラック類の円滑な出し入れを保証することができ、横断面がワイド形状であるような場合に有効である。
【００４８】
また、ガイドレールが、収納部の側壁の内面に取付けられた固定ガイドレールと、この固定ガイドレールに案内される可動ガイドレールとからなるものであると、双方間だけで、スライドラック類に対する案内精度をこのスライドラック類とは無関係に、どのように設定したものをも必要に応じて選択使用することができるし、可動ガイドレールがスライドラック類の溝状凹部にこの溝状凹部の前端壁に当接するように嵌め合わされ、この溝状凹部後端に設けられる固定ガイドレールの出入り口から可動ガイドレールが引き出されるのを阻止するストッパを溝状凹部と可動ガイドレールとの間に設けるようにする構成では、前記ガイドレールを利用するのに、可動ガイドレールを溝状凹部内の両側壁と前端壁および後端の固定ガイドレール出入り口からの引出しを阻止するストッパとによって、ねじ止め等の特別な取付け構造なしに、溝状凹部内に確固に保持してスライドラック類が前記ガイドレールの案内を確実に受けられるようにすることができ、可動ガイドレールをねじ止めしないので、可動ガイドレールと溝状凹部との間に前記遊びを設けるようにするのに好都合である。
【００４９】
ここでストッパが、溝状凹部の一方の側壁を介して隣接する領域に設けられ、弾性係合片の前記側壁の前記隣接領域側の外面に圧接する当たり面に、前記側壁の切欠きを通じて、溝状凹部内の可動ガイドレールの側壁に設けられた係合窓と係合して、可動ガイドレールが固定ガイドレール出入り口から引き出されるのを阻止する係止突起を設け、この係止突起の前記係止窓との係合面とは反対の側となる背部の基部に、前記溝状凹部の側壁の切欠きのエッジと係合する係合面を設けたものとするものであると、可動ガイドレールが固定ガイドレール出入りから引き出されようとするのを、係止突起が係止穴との係合によって阻止するとき、係合突起の先端部に大きな押動力が働き、係合突起は傾きながら弾性係合片を押し戻して係止穴から外れたり、係止穴との係合が甘くなったりするような嫌いがあるのを、前記押動力が働いても、係止突起は前記背部の係合面を溝状凹部の側壁に設けた切欠きのエッジとの係合によって確固に受られ、前記のような傾きや、係止穴から外れたり、係止穴との係合が甘くなったりするようなことが回避される。したがって、前記可動ガイドレールの抜け止めが確実なものとなる。
【図面の簡単な説明】
【図１】本発明の第１の実施例としてのスライドラックが設けられたシステムキッチン方式の収納ボードを示す要部の正面図である。
【図２】図１の要部の収納部を示す縦断面図である。
【図３】図１の要部の収納部を示す横断面図である。
【図４】図１のスライドラックの斜視図である。
【図５】図１のスライドラックの溝状凹部に可動ガイドレールを嵌め付けてストッパを働かせた状態を示す下面図である。
【図６】図５のストッパの上面図である。
【図７】図５のストッパとスライドラックのストッパ取付け部とを示す分解斜視図である。
【図８】図５のストッパの働きを解除した状態を示す下面図である。
【図９】本発明の第２の実施例を示す収納部の横断面図である。
【図１０】従来の収納部を示す縦断面図、垂直横断面図、および水平縦断面図である。
【符号の説明】
１  収納ボード
２  収納部
２ａ、２ｂ  側壁
２ｃ  底部壁
２ｄ  天井壁
２ｅ  奥壁
３  スライドラック
３ａ  一側面
４  ガイドレール
４ａ  固定ガイドレール
４ｃ  可動ガイドレール
４ｅ  取付け片
３３  溝状凹部
２２ａ、３３ａ  固定ガイドレール出入り口
３３ｂ  前端壁
３３ｃ  両側壁
３３ｄ  切欠き
３３ｅ  エッジ
４１  ねじ
４２  ストッパ
４２ｆ  係止突起
４２ｇ  当たり面
４２ｈ  係合面
４２ｉ  係合面
４３  中央凹部
４４  係止穴
Ｓ  遊び
【図１】
0003585257.tif 000002
【図２】
0003585257.tif 000003
【図３】
0003585257.tif 000004
【図４】
0003585257.tif 000005
【図５】
0003585257.tif 000006
【図６】
0003585257.tif 000007
【図７】
0003585257.tif 000008
【図８】
0003585257.tif 000009
【図９】
0003585257.tif 000010
【図１０】
0003585257.tif 000011